(57)【要約】【課題】変速機の変速中におけるトルク変動を小さくしてショックを低減する。【解決手段】アップシフトする際、変速機のＢ２ブレーキを係合状態から解放状態にし、Ｂ１ブレーキを解放状態から係合状態にするように、各ブレーキに供給される油圧が制御される。Ｂ１ブレーキに供給される油圧は、一旦、待機圧Ｐ（Ｈ）まで上昇される。アップシフトを開始してから時間ΔＴ（ＵＰ）が経過すると、パワートレーンの出力トルクが増大される。待機圧Ｐ（Ｈ）は、アップシフトのイナーシャ相中における変速機の入力軸回転数ＮＩの低下率ΔＮＩ（Ｄ）に応じて補正される。ＥＣＵは、アップシフトを開始してからパワートレーンの出力トルクの増大を開始するまでの時間ΔＴ（ＵＰ）を、待機圧Ｐ（Ｈ）に応じて設定するステップ（Ｓ３０２）を含む、プログラムを実行する。【選択図】図１１
2008168718.tif 000002
【特許請求の範囲】
【請求項１】
解放状態にある第１の摩擦係合要素を係合状態にし、係合状態にある第２の摩擦係合要素を解放状態にすることにより変速する変速機を有するパワートレーンの制御装置であって、
変速時に、前記第１の摩擦係合要素に供給される油圧が予め定められた待機圧まで上昇するように制御するための手段と、
前記変速機の状態に基づいて前記待機圧を補正するための補正手段と、
前記待機圧に応じて、前記変速機の変速中における前記パワートレーンの出力トルクを制御するための制御手段とを含む、パワートレーンの制御装置。
【請求項２】
前記制御手段は、
前記変速機の変速中における前記パワートレーンの出力トルクが増大するように制御するための手段と、
前記待機圧が高い場合は低い場合と比較して、前記パワートレーンの出力トルクを増大するタイミングがより早くなるように制御するための手段とを含む、請求項１に記載のパワートレーンの制御装置。
【請求項３】
前記制御手段は、
前記変速機の変速中における前記パワートレーンの出力トルクが増大するように制御するための手段と、
前記待機圧が高い場合は低い場合と比較して、前記パワートレーンの出力トルクを増大する勾配がより大きくなるように制御するための手段とを含む、請求項１に記載のパワートレーンの制御装置。
【請求項４】
前記補正手段は、前記変速機の入力軸回転数の低下率が予め定められた低下率より小さいと、前記待機圧が大きくなるように補正するための手段を含む、請求項１〜３のいずれかに記載のパワートレーンの制御装置。
【請求項５】
解放状態にある第１の摩擦係合要素を係合状態にし、係合状態にある第２の摩擦係合要素を解放状態にすることにより変速する変速機を有するパワートレーンの制御方法であって、
変速時に、前記第１の摩擦係合要素に供給される油圧が予め定められた待機圧まで上昇するように制御するステップと、
前記変速機の状態に基づいて前記待機圧を補正するステップと、
前記待機圧に応じて、前記変速機の変速中における前記パワートレーンの出力トルクを制御するステップとを含む、パワートレーンの制御方法。
【請求項６】
前記パワートレーンの出力トルクを制御するステップは、
前記変速機の変速中における前記パワートレーンの出力トルクが増大するように制御するステップと、
前記待機圧が高い場合は低い場合と比較して、前記パワートレーンの出力トルクを増大するタイミングがより早くなるように制御するステップとを含む、請求項５に記載のパワートレーンの制御方法。
【請求項７】
前記パワートレーンの出力トルクを制御するステップは、
前記変速機の変速中における前記パワートレーンの出力トルクが増大するように制御するステップと、
前記待機圧が高い場合は低い場合と比較して、前記パワートレーンの出力トルクを増大する勾配がより大きくなるように制御するステップとを含む、請求項５に記載のパワートレーンの制御方法。
【請求項８】
前記待機圧を補正するステップは、前記変速機の入力軸回転数の低下率が予め定められた低下率より小さいと、前記待機圧が大きくなるように補正するステップを含む、請求項５〜７のいずれかに記載のパワートレーンの制御方法。
【請求項９】
請求項５〜８のいずれかに記載の制御方法をコンピュータに実現させるプログラム。
【請求項１０】
請求項５〜８のいずれかに記載の制御方法をコンピュータに実現させるプログラムを記録したコンピュータ読み取り可能な記録媒体。
【発明の詳細な説明】
【技術分野】
【０００１】
本発明は、パワートレーンの制御装置、制御方法、その方法を実現させるプログラムおよびそのプログラムを記録した記録媒体に関し、特に、変速機の変速中におけるパワートレーンの出力トルクを制御する技術に関する。
【背景技術】
【０００２】
従来より、複数の摩擦係合要素のうち、係合する摩擦係合要素の組合わせに応じたギヤ段を自動で形成する変速機が知られている。このような変速機においては、解放状態にある摩擦係合要素を係合状態にするとともに、係合状態にある別の摩擦係合要素を解放状態にすることにより変速が行なわれる。
【０００３】
変速機のアップシフトにおいては、摩擦係合要素のトルク分担のみが変化し、入力軸回転数は変化しないトルク相の後、入力軸回転数が低下するイナーシャ相が開始する。変速中に変速機への入力トルクが一定であると、トルク相において変速機の出力トルクが低下し、イナーシャ相において出力トルクが増大することが知られている。トルク変動が大きいと、ショックが発生し得る。そこで、変速時のショックを低減するために、トルク相において変速機の入力トルクを大きくし、イナーシャ相において入力トルクを小さくする技術がある。
【０００４】
特開平５−２６３９１１号公報（特許文献１）は、自動変速機付き自動車の変速ショックを、エンジン出力の微細電子制御により極力小さくする自動変速機の制御装置を開示する。この制御装置は、変速開始指令が出力された時点より、点火時期を徐々に遅角させ、トルクフェーズに入ったら任意の時定数で正規の点火時期まで進角させ、イナーシャフェーズに入ったら任意の所定値点火時期を遅角させ、イナーシャフェーズが終了したら正規の点火時期まで進角させることを特徴とする。
【０００５】
この公報に記載の制御装置によれば、変速指令後、徐々にエンジントルクを小さくし、トルクフェーズ開始点の出力トルクを小さくすることができる。トルクフェーズではエンジントルクを大きくすることができる。イナーシャフェーズに入ったら、徐々にエンジントルクを小さくし、イナーシャに伴う出力トルク増加分を低減することができる。これにより、トルクフェーズにおけるトルク落ち込みを極力抑止することができる。また、イナーシャフェーズにおけるトルク急増を抑止できる。その結果、変速ショックを小さくできる。
【特許文献１】特開平５−２６３９１１号公報
【発明の開示】
【発明が解決しようとする課題】
【０００６】
ところで、良好な変速特性を得るために変速時に摩擦係合要素に供給すべき油圧は一定ではない。たとえば、摩擦係合要素が磨耗すると、同じ係合力を得るためにはそれだけ大きな油圧を必要とする。そこで、変速機においては、変速中の入力軸回転数の変化率などに基づいて摩擦係合要素に供給される油圧が補正される。たとえば、入力軸回転数の低下率が予め定められた低下率よりも小さいと、摩擦係合要素が磨耗したと考えられるため、変速により係合する摩擦係合要素に供給される油圧が大きくされる。
【０００７】
油圧が大きくされると、アップシフト時にトルク相が開始するタイミングが早まる。したがって、特開平５−２６３９１１号公報に記載の制御装置のように、トルク相中エンジントルクを大きくしたとしても、トルク相が開始するタイミングとエンジントルクを増大するタイミングとのずれが大きくなり得る。この場合、エンジントルクを増大しても、出力トルクの低下幅が大きくなり得る。そのため、変速時に発生し得るショックが大きくなり得る。しかしながら、特開平５−２６３９１１号公報には、このような課題に関する記載は何等ない。
【０００８】
本発明は、上述の課題を解決するためになされたものであって、その目的は、変速時に発生し得るショックを低減することができるパワートレーンの制御装置、制御方法、その方法を実現させるプログラムおよびそのプログラムを記録した記録媒体を提供することである。
【課題を解決するための手段】
【０００９】
第１の発明に係るパワートレーンの制御装置は、解放状態にある第１の摩擦係合要素を係合状態にし、係合状態にある第２の摩擦係合要素を解放状態にすることにより第１のギヤ段から第２のギヤ段に変速するパワートレーンの制御装置である。この制御装置は、変速時に、第１の摩擦係合要素に供給される油圧が予め定められた待機圧まで上昇するように制御するための手段と、変速機の状態に基づいて待機圧を補正するための補正手段と、待機圧に応じて、変速機の変速中におけるパワートレーンの出力トルクを制御するための制御手段とを含む。第５の発明に係る変速機の制御方法は、第１の発明に係るパワートレーンの制御装置と同様の要件を備える。
【００１０】
第１または第５の発明によると、解放状態にある第１の摩擦係合要素を係合状態にし、係合状態にある第２の摩擦係合要素を解放状態にすることにより変速機が変速する。変速時に、第１の摩擦係合要素に供給される油圧が予め定められた待機圧まで上昇するように制御される。この待機圧は、変速機の状態に基づいて補正される。待機圧に応じて変速機の変速中におけるパワートレーンの出力トルクが制御される。これにより、待機圧が大きくされたり小さくされたりした結果、アップシフトのトルク相の開始タイミングが変化した場合に、パワートレーンの出力トルクを増大するタイミングもしくは増大する勾配などを変化させることができる。そのため、トルク相の開始時期と出力トルクを増大するタイミングとのずれを小さくすることができる。その結果、変速中の出力トルクの変動を小さくして、ショックを低減することができるパワートレーンの制御装置もしくは制御方法を提供することができる。
【００１１】
第２の発明に係るパワートレーンの制御装置においては、第１の発明の構成に加え、制御手段は、変速機の変速中におけるパワートレーンの出力トルクが増大するように制御するための手段と、待機圧が高い場合は低い場合と比較して、パワートレーンの出力トルクを増大するタイミングがより早くなるように制御するための手段を含む。第６の発明に係る変速機の制御方法は、第２の発明に係るパワートレーンの制御装置と同様の要件を備える。
【００１２】
第２または第６の発明によると、変速機の変速中におけるパワートレーンの出力トルクが増大するように制御される。待機圧が高い場合は低い場合と比較して、パワートレーンの出力トルクを増大するタイミングがより早くなるように制御される。これにより、待機圧が大きくされた結果、アップシフトのトルク相の開始タイミングが早まった場合に、出力トルクを増大するタイミングを早めることができる。そのため、トルク相の開始タイミングと出力トルクを増大するタイミングとのずれを小さくすることができる。その結果、変速中の出力トルクの変動を小さくして、ショックを低減することができる。
【００１３】
第３の発明に係るパワートレーンの制御装置においては、第１の発明の構成に加え、制御手段は、変速機の変速中におけるパワートレーンの出力トルクが増大するように制御するための手段と、待機圧が高い場合は低い場合と比較して、パワートレーンの出力トルクを増大する勾配がより大きくなるように制御するための手段を含む。第７の発明に係る変速機の制御方法は、第３の発明に係るパワートレーンの制御装置と同様の要件を備える。
【００１４】
第３または第７の発明によると、変速機の変速中におけるパワートレーンの出力トルクが増大するように制御される。待機圧が高い場合は低い場合と比較して、出力トルクを増大する勾配がより大きくなるように制御される。これにより、待機圧が大きくされた結果、アップシフトのトルク相の開始タイミングが早まった場合に、パワートレーンの出力トルクを速やかに増大することができる。そのため、トルク相の開始タイミングと出力トルクを増大するタイミングとのずれを小さくすることができる。その結果、変速中の出力トルクの変動を小さくして、ショックを低減することができる。
【００１５】
第４の発明に係るパワートレーンの制御装置においては、第１〜３のいずれかの発明の構成に加え、補正手段は、変速機の入力軸回転数の低下率が予め定められた低下率より小さいと、待機圧が大きくなるように補正するための手段を含む。第８の発明に係る変速機の制御方法は、第４の発明に係るパワートレーンの制御装置と同様の要件を備える。
【００１６】
第４または第８の発明によると、変速機の入力軸回転数の低下率が予め定められた低下率より小さいと、待機圧が大きくなるように補正される。これにより、アップシフトに必要な時間が長くならないようにすることができる。
【００１７】
第９の発明に係るプログラムは、第５〜８のいずれかに記載の制御方法をコンピュータに実現させるプログラムであって、第１０の発明に係る記録媒体は、第５〜８のいずれかに記載の制御方法をコンピュータに実現させるプログラムを記録したコンピュータ読み取り可能な記録媒体である。
【００１８】
第９または第１０の発明によると、コンピュータ（汎用でも専用でもよい）を用いて、第５〜８のいずれかの発明に係る変速機の制御方法を実現することができる。
【発明を実施するための最良の形態】
【００１９】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２０】
図１を参照して、本発明の実施の形態に係る制御装置を搭載したハイブリッド車のパワートレーンについて説明する。なお、本実施の形態に係る制御装置は、たとえば、ＥＣＵ（Electronic Control Unit）１０００がＲＯＭ（Read Only Memory）１００２に記憶されたプログラムを実行することにより実現される。
【００２１】
図１に示すように、パワートレーン９０は、エンジン１００と、ＭＧ（Motor Generator）（１）２００と、これらエンジン１００とＭＧ（１）２００との間でトルクを合成もしくは分配する動力分割機構３００と、ＭＧ（２）４００と、変速機５００とを主体として構成されている。
【００２２】
エンジン１００は、ガソリンエンジンやディーゼルエンジンなどの燃料を燃焼させて動力を出力する公知の動力装置であって、スロットル開度（吸気量）や燃料供給量、点火時期などの運転状態を電気的に制御できるように構成されている。その制御は、たとえば、マイクロコンピュータを主体とするＥＣＵ１０００によって行なわれる。
【００２３】
ＭＧ（１）２００は、一例として三相交流回転電機であって、電動機（モータ）としての機能と発電機（ジェネレータ）としての機能とを生じるように構成される。インバータ２１０を介してバッテリなどの蓄電装置７００に接続されている。インバータ２１０を制御することにより、ＭＧ（１）２００の出力トルクあるいは回生トルクを適宜に設定するようになっている。その制御は、ＥＣＵ１０００によって行なわれる。なお、ＭＧ（１）２００のステータ（図示せず）は固定されており、回転しないようになっている。
【００２４】
動力分割機構３００は、外歯歯車であるサンギヤ（Ｓ）３１０と、そのサンギヤ（Ｓ）３１０に対して同心円上に配置された内歯歯車であるリングギヤ（Ｒ）３２０と、これらサンギヤ（Ｓ）３１０とリングギヤ（Ｒ）３２０とに噛合しているピニオンギヤを自転かつ公転自在に保持しているキャリヤ（Ｃ）３３０とを三つの回転要素として差動作用を生じる公知の歯車機構である。エンジン１００の出力軸がダンパ１１０を介して第１の回転要素であるキャリヤ（Ｃ）３３０に連結されている。言い換えれば、キャリヤ（Ｃ）３３０が入力要素となっている。
【００２５】
これに対して第２の回転要素であるサンギヤ（Ｓ）３１０にＭＧ（１）２００のロータ（図示せず）が連結されている。したがってサンギヤ（Ｓ）３１０がいわゆる反力要素となっており、また第３の回転要素であるリングギヤ（Ｒ）３２０が出力要素となっている。そして、そのリングギヤ（Ｒ）３２０が、駆動輪（図示せず）に連結された出力軸６００に連結されている。
【００２６】
図２に、動力分割機構３００の共線図を示す。図２に示すように、キャリヤ（Ｃ）３３０に入力されるエンジン１００の出力するトルクに対して、ＭＧ（１）２００による反力トルクをサンギヤ（Ｓ）３１０に入力すると、これらのトルクを加減算した大きさのトルクが、出力要素となっているリングギヤ（Ｒ）３２０に現れる。その場合、ＭＧ（１）２００のロータがそのトルクによって回転し、ＭＧ（１）２００は発電機として機能する。また、リングギヤ（Ｒ）３２０の回転数（出力回転数）を一定とした場合、ＭＧ（１）２００の回転数を大小に変化させることにより、エンジン１００の回転数を連続的に（無段階に）変化させることができる。すなわち、エンジン１００の回転数をたとえば燃費が最もよい回転数に設定する制御を、ＭＧ（１）２００を制御することによって行なうことができる。その制御は、ＥＣＵ１０００によって行なわれる。
【００２７】
走行中にエンジン１００を停止させていれば、ＭＧ（１）２００が逆回転しており、その状態からＭＧ（１）２００を電動機として機能させて正回転方向にトルクを出力させると、キャリヤ（Ｃ）３３０に連結されているエンジン１００にこれを正回転させる方向のトルクが作用し、ＭＧ（１）２００によってエンジン１００を始動（モータリングもしくはクランキング）することができる。その場合、出力軸６００にはその回転を止める方向のトルクが作用する。したがって走行のための駆動トルクは、ＭＧ（２）４００の出力するトルクを制御することにより維持でき、同時にエンジン１００の始動を円滑に行なうことができる。なお、この種のハイブリッド形式は、機械分配式あるいはスプリットタイプと称されている。
【００２８】
図１に戻って、ＭＧ（２）４００は、一例として三相交流回転電機であって、電動機としての機能と発電機としての機能とを生じるように構成される。インバータ４１０を介してバッテリなどの蓄電装置７００接続されている。インバータ４１０を制御することにより、力行および回生ならびにそれぞれの場合におけるトルクを制御するように構成されている。なお、ＭＧ（２）４００のステータ（図示せず）は固定されており、回転しないようになっている。
【００２９】
変速機５００は、一組のラビニョ型遊星歯車機構によって構成されている。それぞれ外歯歯車である第１サンギヤ（Ｓ１）５１０と第２サンギヤ（Ｓ２）５２０とが設けられており、その第１サンギヤ（Ｓ１）５１０に第１のピニオン５３１が噛合するとともに、その第１のピニオン５３１が第２のピニオン５３２に噛合し、その第２のピニオン５３２が各サンギヤ５１０，５２０と同心円上に配置されたリングギヤ（Ｒ）５４０に噛合している。
【００３０】
なお、各ピニオン５３１，５３２は、キャリヤ（Ｃ）５５０によって自転かつ公転自在に保持されている。また、第２サンギヤ（Ｓ２）５２０が第２のピニオン５３２に噛合している。したがって第１サンギヤ（Ｓ１）５１０とリングギヤ（Ｒ）５４０とは、各ピニオン５３１，５３２と共にダブルピニオン型遊星歯車機構に相当する機構を構成し、また第２サンギヤ（Ｓ２）５２０とリングギヤ（Ｒ）５４０とは、第２のピニオン５３２と共にシングルピニオン型遊星歯車機構に相当する機構を構成している。
【００３１】
さらに、変速機５００には、第１サンギヤ（Ｓ１）５１０を選択的に固定するＢ１ブレーキ５６１と、リングギヤ（Ｒ）５４０を選択的に固定するＢ２ブレーキ５６２とが設けられている。これらのブレーキ５６１，５６２は摩擦力によって係合力を生じるいわゆる摩擦係合要素であり、多板形式の係合装置あるいはバンド形式の係合装置を採用することができる。そして、これらのブレーキ５６１，５６２は、油圧による係合力に応じてそのトルク容量が連続的に変化するように構成されている。さらに、第２サンギヤ（Ｓ２）５２０に前述したＭＧ（２）４００が連結される。キャリヤ（Ｃ）５５０が出力軸６００に連結される。
【００３２】
したがって、上記の変速機５００は、第２サンギヤ（Ｓ２）５２０がいわゆる入力要素であり、またキャリヤ（Ｃ）５５０が出力要素となっており、Ｂ１ブレーキ５６１を係合させることにより変速比が“１”より大きい高速段が設定される。Ｂ１ブレーキ５６１に替えてＢ２ブレーキ５６２を係合させることにより、高速段より変速比の大きい低速段が設定される。
【００３３】
この各変速段の間での変速は、車速や要求駆動力（もしくはアクセル開度）などの走行状態に基づいて実行される。より具体的には、変速段領域を予めマップ（変速線図）として定めておき、検出された運転状態に応じていずれかの変速段を設定するように制御される。
【００３４】
図３に、変速機５００の共線図を示す。図３に示すように、Ｂ２ブレーキ５６２によってリングギヤ（Ｒ）５４０を固定すれば、低速段Ｌが設定され、ＭＧ（２）４００の出力したトルクが変速比に応じて増幅されて出力軸６００に付加される。これに対してＢ１ブレーキ５６１によって第１サンギヤ（Ｓ１）５１０を固定すれば、低速段Ｌより変速比の小さい高速段Ｈが設定される。この高速段Ｈにおける変速比も“１”より大きいので、ＭＧ（２）４００の出力したトルクがその変速比に応じて増大させられて出力軸６００に付加される。
【００３５】
なお、各変速段Ｌ，Ｈが定常的に設定されている状態では、出力軸６００に付加されるトルクは、ＭＧ（２）４００の出力トルクを変速比に応じて増大させたトルクとなるが、変速過渡状態では各ブレーキ５６１，５６２でのトルク容量や回転数変化に伴う慣性トルクなどの影響を受けたトルクとなる。また、出力軸６００に付加されるトルクは、ＭＧ（２）４００の駆動状態では、正トルクとなり、被駆動状態では負トルクとなる。
【００３６】
このハイブリッド車には、図４に示すように、前述した各ブレーキ５６１，５６２に対して油圧を給排してその係合・解放の制御を行なう油圧制御装置８００が設けられている。
【００３７】
この油圧制御装置８００は、機械式オイルポンプ８１０と電動オイルポンプ８２０と、これらのオイルポンプ８１０，８２０で発生させた油圧をライン圧に調圧（調整）するとともに、そのライン圧を元圧として調圧した油圧を各ブレーキ５６１，５６２に対して給排し、かつ適宜の箇所に潤滑のためのオイルを供給する油圧回路８３０とを備えている。
【００３８】
機械式オイルポンプ８１０は、エンジン１００によって駆動されて油圧を発生するポンプであって、たとえばダンパ１１０の出力側に同軸上に配置され、エンジン１００からトルクを受けて動作するようになっている。これに対して電動オイルポンプ８２０は、モータ（図示せず）によって駆動されるポンプであって、ケーシング（図示せず）の外部などの適宜の箇所に取り付けられ、バッテリなどの蓄電装置から電力を受けて動作し、油圧を発生するようになっている。電動オイルポンプ８２０は、所望の油圧を発生するように、ＥＣＵ１０００により制御される。たとえば、電動オイルポンプ８２０の回転数等がフィードバック制御される。
【００３９】
油圧回路８３０は、複数のソレノイドバルブや切換バルブあるいは調圧バルブ（それぞれ図示せず）を備え、調圧や油圧の給排を電気的に制御できるように構成されている。その制御は、ＥＣＵ１０００により行なわれる。油圧回路内を流通する作動油の温度（以下、油温とも記載する）は、油温センサ１０１０により検出され、検出結果を表す信号がＥＣＵ１０００に送信される。
【００４０】
なお、各オイルポンプ８１０，８２０の吐出側には、それぞれのオイルポンプ８１０，８２０の吐出圧で開き、これとは反対方向には閉じる逆止弁８１２，８２２が設けられ、かつ油圧回路８３０に対してこれらのオイルポンプ８１０，８２０は互いに並列に接続されている。
【００４１】
ライン圧を調圧するソレノイドバルブ８３２は、吐出量を増大させてライン圧を第１油圧Ｐ（１）まで高くする高圧状態と、これとは反対に吐出量を第２油圧Ｐ（２）まで減じてライン圧を低くする低圧状態の二つの状態にライン圧を制御する。
【００４２】
上述したパワートレーン９０は、エンジン１００とＭＧ（２）４００との二つの動力源を備えているので、これらを有効に利用して低燃費で排ガス量の少ない運転がおこなわれる。またエンジン１００を駆動する場合であっても、ＭＧ（１）２００によって最適燃費となるようにエンジン１００の回転数が制御される。さらに、コースト時には車両の有する慣性エネルギーが電力として回生される。そして、ＭＧ（２）４００を駆動してトルクアシストする場合、車速が遅い状態では変速機５００を低速段Ｌに設定して出力軸６００に付加するトルクを大きくし、車速が増大した状態では、変速機５００を高速段Ｈに設定してＭＧ（２）４００の回転数を相対的に低下させて損失を低減し、効率の良いトルクアシストが実行される。
【００４３】
上述したハイブリッド車は、エンジン１００の動力による走行、エンジン１００とＭＧ（２）４００とを使用した走行、ＭＧ（２）４００のみを使用した走行のいずれもが可能である。これらの走行形態は、アクセル開度などの駆動要求量、エンジン回転数、変速機の５００の入力軸回転数ＮＩ、出力軸回転数ＮＯ（車速）、シフトレバー（図示せず）の位置（シフトポジション）などに基づいて判断され、選択される。
【００４４】
図１に示すように、アクセル開度センサ１０２０によりアクセル開度が検出される。エンジン回転数センサ１０３０によりエンジン回転数が検出される。入力軸回転数センサ１０４０により、変速機５００の入力軸回転数ＮＩが検出される。出力軸回転数センサ１０５０により、変速機５００の出力軸回転数（出力軸６００の回転数）ＮＯが検出される。この出力軸回転数ＮＯから車速が算出される。シフトポジションセンサ１０６０によりシフトポジションが検出される。
【００４５】
図５を参照して、本実施の形態に係る制御装置であるＥＣＵ１０００の機能について説明する。なお、以下に説明する機能はハードウェアにより実現するようにしてもよく、ソフトウェアにより実現するようにしてもよい。
【００４６】
ＥＣＵ１０００は、油圧制御部１１００と、待機圧補正部１１０２と、トルク増大部１１０４と、設定部１１０６とを含む。油圧制御部１１００は、低速段Ｌから高速段Ｈへアップシフトする際、図６に示すように、Ｂ２ブレーキ５６２を係合状態から解放状態にし、Ｂ１ブレーキ５６１を解放状態から係合状態にするように、各ブレーキに供給される油圧を制御する。
【００４７】
アップシフト時にＢ１ブレーキ５６１に供給される油圧は、図６に示すように、変速開始（変速指令の出力）後、予め定められた時間ΔＴ（１）が経過した時間Ｔ（１）において、一旦増大される。
【００４８】
その後、予め定められた時間ΔＴ（２）が経過した時間Ｔ（２）において、待機圧Ｐ（Ｈ）で保持される。変速開始前の油圧よりも大きく、かつイナーシャ相を開始させるために十分な値が、待機圧Ｐ（Ｈ）に定められる。待機圧Ｐ（Ｈ）において油圧を保持した状態で、イナーシャ相が時間Ｔ（３）において開始すると、油圧が漸増（予め定められた増大率で増大）される。
【００４９】
待機圧補正部１１０２は、アップシフトのイナーシャ相中における変速機５００の入力軸回転数ＮＩに基づいて、待機圧Ｐ（Ｈ）を補正する。たとえば、イナーシャ相中の入力軸回転数ＮＩの低下率ΔＮＩ（Ｄ）が、実験などにより予め定められた目標低下率ΔＮＩ（Ｔ）より大きいと、待機圧Ｐ（Ｈ）が小さくなるように補正される。入力軸回転数ＮＩの低下率ΔＮＩ（Ｄ）が、目標低下率ΔＮＩ（Ｔ）より大きいほど、待機圧Ｐ（Ｈ）がより小さくなるように補正される。
【００５０】
同様に、入力軸回転数ＮＩの低下率ΔＮＩ（Ｄ）が、目標低下率ΔＮＩ（Ｔ）より小さいと、待機圧Ｐ（Ｈ）が大きくなるように補正される。入力軸回転数ＮＩの低下率ΔＮＩ（Ｄ）が、目標低下率ΔＮＩ（Ｔ）より小さいほど、待機圧Ｐ（Ｈ）がより大きくなるように補正される。なお、待機圧Ｐ（Ｈ）を補正する方法はこれに限らない。
【００５１】
トルク増大部１１０４は、図７において斜線で示すように、アップシフトのトルク相中に、パワートレーン９０の出力トルクが増大するように、エンジン１００、ＭＧ（１）２００およびＭＧ（２）４００のうちの少なくともいずれか一つの駆動源を制御する。また、本実施の形態においては、待機圧Ｐ（Ｈ）が大きいほど、出力トルクの増大を開始するタイミングがより早くされる。
【００５２】
設定部１１０６は、アップシフトを開始してから（変速指令が出力されてから）パワートレーン９０の出力トルクの増大を開始するまでの時間ΔＴ（ＵＰ）を、待機圧Ｐ（Ｈ）に応じて設定する。時間ΔＴ（ＵＰ）は、待機圧Ｐ（Ｈ）が大きいほどより短く設定される。すなわち、時間ΔＴ（ＵＰ）は、待機圧Ｐ（Ｈ）が大きい場合は小さいと比較して短く設定される。
【００５３】
なお、アップシフトを開始してからパワートレーン９０の出力トルクの増大を開始するまでの時間ΔＴ（ＵＰ）の代わりにもしくは加えて、出力トルクを増大させる勾配を待機圧Ｐ（Ｈ）に応じて設定するようにしてもよい。この場合、待機圧Ｐ（Ｈ）が大きいほどより大きくなるように勾配を設定するようにしてもよい。すなわち、待機圧Ｐ（Ｈ）が大きい場合は小さいと比較して大きくなるように勾配を設定するようにしてもよい。
【００５４】
図８を参照して、本実施の形態に係る制御装置であるＥＣＵ１０００が、実行するプログラムの制御構造（その１）について説明する。
【００５５】
ステップ（以下、ステップをＳと略す）１００にて、ＥＣＵ１０００は、変速機５００の変速を行なうか否かを判断する。変速を行なうか否かは、たとえばアクセル開度と車速とをパラメータにもつ変速線図に基づいて判断される。変速を行なう場合（Ｓ１００にてＹＥＳ）、処理はＳ１０２に移される。もしそうでないと（Ｓ１００にてＮＯ）、処理はＳ１００に戻される。
【００５６】
Ｓ１０２にて、ＥＣＵ１０００は、アップシフトを行なうか否かを判断する。アップシフトを行なう場合（Ｓ１０２にてＹＥＳ）、処理はＳ１０４に移される。もしそうでないと（Ｓ１０２にてＮＯ）、この処理は終了する。
【００５７】
Ｓ１０４にて、ＥＣＵ１０００は、アップシフトを開始する。Ｓ１０６にて、ＥＣＵ１０００は、Ｂ２ブレーキ５６２を係合状態から解放状態にし、Ｂ１ブレーキ５６１を解放状態から係合状態にするように、各ブレーキに供給される油圧を制御する。Ｂ１ブレーキ５６１に供給される油圧は、前述したように、一旦、待機圧Ｐ（Ｈ）まで上昇される。イナーシャ相が開始すると、油圧がさらに増大される。
【００５８】
図９を参照して、本実施の形態に係る制御装置であるＥＣＵ１０００が実行するプログラムの制御構造（その２）について説明する。
【００５９】
Ｓ１１０にて、ＥＣＵ１０００は、アップシフトを開始したか否かを判断する。アップシフトの開始はＥＣＵ１０００自体が判断するため、アップシフトを開始したか否かはＥＣＵ１０００の内部で判断される。アップシフトを開始すると（Ｓ１１０にてＹＥＳ）、処理はＳ１０２に移される。もしそうでないと（Ｓ１１０にてＮＯ）、処理はＳ１１０に戻される。
【００６０】
Ｓ１１２にて、ＥＣＵ１０００は、アップシフトを開始してから時間ΔＴ（ＵＰ）が経過したか否かを判断する。時間ΔＴ（ＵＰ）が経過すると（Ｓ１１２にてＹＥＳ）、処理はＳ１１４に移される。もしそうでないと（Ｓ１１２にてＮＯ）、処理はＳ１１２に戻される。
【００６１】
Ｓ１１４にて、ＥＣＵ１０００は、パワートレーン９０の出力トルクが増大するように、エンジン１００、ＭＧ（１）２００およびＭＧ（２）４００のうちの少なくともいずれか一つの駆動源を制御する。
【００６２】
図１０を参照して、本実施の形態に係る制御装置であるＥＣＵ１０００が実行するプログラムの制御構造（その３）について説明する。
【００６３】
Ｓ２００にて、ＥＣＵ１０００は、アップシフトを開始したか否かを判断する。アップシフトを開始するか否かは、ＥＣＵ１０００自体が決定しているため、アップシフトを開始したか否かはＥＣＵ１０００の内部で判断される。アップシフトを開始すると（Ｓ２００にてＹＥＳ）、処理はＳ２０２に移される。もしそうでないと（Ｓ２００にてＮＯ）、処理はＳ２００に戻される。
【００６４】
Ｓ２０２にて、ＥＣＵ１０００は、イナーシャ相が開始したか否かを判断する。たとえば、変速機５００の出力軸回転数ＮＯと低速段Ｌのギヤ比との積よりも入力軸回転数ＮＩが低下すると、イナーシャ相が開始したと判断される。なお、イナーシャ相が開始したことを判断する方法はこれに限らない。イナーシャ相が開始すると（Ｓ２０２にてＹＥＳ）、処理はＳ２０４に移される。もしそうでないと（Ｓ２０２にてＮＯ）、処理はＳ２０２に戻される。
【００６５】
Ｓ２０４にて、ＥＣＵ１０００は、入力軸回転数センサ１０４０から送信された信号に基づいて、変速機５００の入力軸回転数ＮＩの変化率を検出する。Ｓ２０６にて、ＥＣＵ１０００は、入力軸回転数ＮＩの低下率ΔＮＩ（Ｄ）が、目標低下率ΔＮＩ（Ｔ）より大きいか否かを判断する。
【００６６】
入力軸回転数ＮＩの低下率ΔＮＩ（Ｄ）が、目標低下率ΔＮＩ（Ｔ）より大きいと（Ｓ２０６にてＹＥＳ）、処理はＳ２０８に移される。もしそうでないと（Ｓ２０６にてＮＯ）、処理はＳ２１０に移される。
【００６７】
Ｓ２０８にて、ＥＣＵ１０００は、待機圧Ｐ（Ｈ）が小さくなるように補正する。Ｓ２１０にて、ＥＣＵ１０００は、待機圧Ｐ（Ｈ）が大きくなるように補正する。
【００６８】
図１１を参照して、本実施の形態に係る制御装置であるＥＣＵ１０００が実行するプログラムの制御構造（その４）について説明する。
【００６９】
Ｓ３００にて、ＥＣＵ１０００は、待機圧Ｐ（Ｈ）が収束したか否かを判断する。たとえば、イナーシャ相中の入力軸回転数ＮＩの低下率ΔＮＩ（Ｄ）と目標低下率ΔＮＩ（Ｔ）との差が予め定められた範囲内であるアップシフトが予め定められた回数以上継続した場合、待機圧Ｐ（Ｈ）が収束したと判断される。待機圧Ｐ（Ｈ）が収束すると（Ｓ３００にてＹＥＳ）、処理はＳ３０２に移される。もしそうでないと（Ｓ３００にてＮＯ）、処理はＳ３００に戻される。
【００７０】
Ｓ３０２にて、ＥＣＵ１０００は、アップシフトを開始してからパワートレーン９０の出力トルクの増大を開始するまでの時間ΔＴ（ＵＰ）を、待機圧Ｐ（Ｈ）に応じて設定する。時間ΔＴ（ＵＰ）は、待機圧Ｐ（Ｈ）が大きいほどより短く設定される。
【００７１】
なお、Ｓ３０２において、パワートレーン９０の出力トルクを増大させる勾配を待機圧Ｐ（Ｈ）に応じて設定するようにしてもよい。この場合、待機圧Ｐ（Ｈ）が大きいほどより大きくなるように勾配を設定するようにしてもよい。
【００７２】
以上のような構造およびフローチャートに基づく、本実施の形態に係る制御装置であるＥＣＵ１０００の動作について説明する。
【００７３】
変速を行なう場合であって（Ｓ１００にてＹＥＳ）、かつアップシフトを行なう場合（Ｓ１０２にてＹＥＳ）、アップシフトが開始される（Ｓ１０６）。アップシフトが開始されると、Ｂ２ブレーキ５６２を係合状態から解放状態にし、Ｂ１ブレーキ５６１を解放状態から係合状態にするように、各ブレーキに供給される油圧が制御される（Ｓ１０８）。Ｂ１ブレーキ５６１に供給される油圧は、前述したように、一旦待機圧Ｐ（Ｈ）まで上昇される。イナーシャ相が開始すると、油圧がさらに増大される。
【００７４】
また、アップシフトが開始されると（Ｓ１１０にてＹＥＳ）、アップシフトを開始してから時間ΔＴ（ＵＰ）が経過したか否かが判断される（Ｓ１１２）。時間ΔＴ（ＵＰ）が経過すると（Ｓ１１２にてＹＥＳ）、パワートレーン９０の出力トルクが増大するように、エンジン１００、ＭＧ（１）２００およびＭＧ（２）４００のうちの少なくともいずれか一つの駆動源が制御される（Ｓ１１４）。これにより、トルク相中における出力トルクの低下量を小さくすることができる。
【００７５】
ところで、変速機５００における変速が、常に良好な状態で行なわれるとは限らない。たとえば、Ｂ１ブレーキ５６１の係合力が大きいと、変速が急に進行する。すなわち、変速比が急に変化する。一方、Ｂ１ブレーキ５６１の磨耗などにより係合力が不足すると、変速に要する時間が長くなる。そこで、イナーシャ相における入力軸回転数ＮＩの変化率を用いて、Ｂ１ブレーキ５６１の待機圧Ｐ（Ｈ）が補正される。
【００７６】
アップシフトが開始され（Ｓ２００にてＹＥＳ）、その後、イナーシャ相が開始すると（Ｓ２０２にてＹＥＳ）、変速機５００の入力軸回転数ＮＩの変化率が検出される（Ｓ２０４）。
【００７７】
入力軸回転数ＮＩの低下率ΔＮＩ（Ｄ）が、目標低下率ΔＮＩ（Ｔ）より大きいと（Ｓ２０６にてＹＥＳ）、アップシフトの進行が速い状態、すなわちＢ１ブレーキ５６１の係合力が大きい状態であるといえる。この場合、待機圧Ｐ（Ｈ）が小さくなるように補正される（Ｓ２０８）。
【００７８】
一方、入力軸回転数ＮＩの低下率ΔＮＩ（Ｄ）が、目標低下率ΔＮＩ（Ｔ）より小さいと（Ｓ２０６にてＮＯ）、アップシフトの進行が遅い状態、すなわちＢ１ブレーキ５６１の磨耗などにより係合力が不足している状態といえる。この場合、待機圧Ｐ（Ｈ）が大きくなるように補正される（Ｓ２１０）。これにより、Ｂ１ブレーキ５６１の係合力をアップシフトに適した状態にすることができる。
【００７９】
ところが、待機圧Ｐ（Ｈ）が大きくなると、Ｂ１ブレーキ５６１の係合力が大きくなる。その結果、図１２に示すように、アップシフトのトルク相が開始するタイミングが早まる。したがって、アップシフトを開始してからパワートレーン９０の出力トルクの増大を行なうまでの時間ΔＴ（ＵＰ）が一定であると、図１２に示すように、実際には、トルク相の初期において出力トルクが増大されない。
【００８０】
そこで、待機圧Ｐ（Ｈ）が収束すると（Ｓ３００にてＹＥＳ）、アップシフトを開始してからパワートレーン９０の出力トルクの増大を開始するまでの時間ΔＴ（ＵＰ）が、待機圧Ｐ（Ｈ）に応じて設定される（Ｓ３０２）。時間ΔＴ（ＵＰ）は、待機圧Ｐ（Ｈ）が大きいほどより短く設定される。これにより、図１３に示すように、トルク相が開始するタイミングと出力トルクを増大するタイミングとのずれを小さくすることができる。
【００８１】
以上のように、本実施の形態に係る制御装置であるＥＣＵによれば、アップシフトを開始してからパワートレーン９０の出力トルクの増大を開始するまでの時間ΔＴ（ＵＰ）が、待機圧Ｐ（Ｈ）に応じて設定される。これにより、トルク相が開始するタイミングと出力トルクを増大するタイミングとのずれを小さくすることができる。そのため、変速中の出力トルクの変動を小さくして、ショックを低減することができる。
【００８２】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８３】
【図１】ハイブリッド車のパワートレーンを示す概略構成図である。
【図２】動力分割機構の共線図である。
【図３】変速機の共線図（その１）である。
【図４】ハイブリッド車の油圧制御装置を示す図である。
【図５】本実施の形態に係る制御装置であるＥＣＵの機能ブロック図である。
【図６】アップシフト時にＢ１ブレーキに供給される油圧などの推移を示すタイミングチャートである。
【図７】トルク相の開始タイミングとパワートレーンの出力トルクを増大するタイミングとを示すタイミングチャート（その１）である。
【図８】本実施の形態に係る制御装置であるＥＣＵが実行するプログラムの制御構造を示すフローチャート（その１）である。
【図９】本実施の形態に係る制御装置であるＥＣＵが実行するプログラムの制御構造を示すフローチャート（その２）である。
【図１０】本実施の形態に係る制御装置であるＥＣＵが実行するプログラムの制御構造を示すフローチャート（その３）である。
【図１１】本実施の形態に係る制御装置であるＥＣＵが実行するプログラムの制御構造を示すフローチャート（その４）である。
【図１２】トルク相の開始タイミングとパワートレーンの出力トルクを増大するタイミングとを示すタイミングチャート（その２）である。
【図１３】トルク相の開始タイミングとパワートレーンの出力トルクを増大するタイミングとを示すタイミングチャート（その３）である。
【符号の説明】
【００８４】
９０  パワートレーン、１００  エンジン、２００  ＭＧ（１）、３００  動力分割機構、４００  ＭＧ（２）、５００  変速機、５６１  Ｂ１ブレーキ、５６２  Ｂ２ブレーキ、６００  出力軸、７００  蓄電装置、８００  油圧制御装置、８１０  機械式オイルポンプ、８２０  電動オイルポンプ、８３０  油圧回路、１０１０  油温センサ、１０２０  アクセル開度センサ、１０３０  エンジン回転数センサ、１０４０  入力軸回転数センサ、１０５０  出力軸回転数センサ、１０６０  シフトポジションセンサ、１１００  油圧制御部、１１０２  待機圧補正部、１１０４  トルク増大部、１１０６  設定部。
【図１】
2008168718.tif 000003
【図２】
2008168718.tif 000004
【図３】
2008168718.tif 000005
【図４】
2008168718.tif 000006
【図５】
2008168718.tif 000007
【図６】
2008168718.tif 000008
【図７】
2008168718.tif 000009
【図８】
2008168718.tif 000010
【図９】
2008168718.tif 000011
【図１０】
2008168718.tif 000012
【図１１】
2008168718.tif 000013
【図１２】
2008168718.tif 000014
【図１３】
2008168718.tif 000015